(57)【要約】  行動分析装置が、複数の商品が陳列された棚への人物の接近の有無を示す接近情報を取得する接近情報取得部と、前記棚に陳列されている前記複数の商品のうち欠品している商品の位置および欠品を欠品情報として検出する検出部と、前記接近情報および前記欠品情報に基づいて、前記人物の行動分析を行う分析部と、を備える。
2017163879.tif 000002
【特許請求の範囲】
【請求項１】
複数の商品が陳列された棚への人物の接近の有無を示す接近情報を取得する接近情報取得部と、
前記棚に陳列されている前記複数の商品のうち欠品している商品の位置および欠品を欠品情報として検出する検出部と、
前記接近情報および前記欠品情報に基づいて、前記人物の行動分析を行う分析部と、
を備える行動分析装置。
【請求項２】
前記接近情報は、前記棚における前記人物の手が接近した位置を示す接近位置の情報を含み、
前記分析部は、前記接近位置に対応する前記商品の前記欠品情報に基づいて、前記人物の行動分析を行う
請求項１に記載の行動分析装置。
【請求項３】
前記接近位置に対応する前記商品が欠品していると判断される場合に、前記接近位置に隣接した位置に前記人物の手が接近したものと前記接近情報を補正する補正部を備え、
前記分析部は、前記補正部により補正された前記接近情報に基づいて前記人物の行動分析を行う
請求項２に記載の行動分析装置。
【請求項４】
前記分析部は、前記接近位置に対応する前記商品が欠品していると判断される場合に、前記接近情報を無視する
請求項２に記載の行動分析装置。
【請求項５】
前記分析部は、少なくともいずれかの商品が欠品していることを前記検出部が検出したときの前記接近情報に基づいて、前記人物の行動分析を行う、請求項１から４のいずれか一項に記載の行動分析装置。
【請求項６】
複数の商品が陳列された棚への人物の接近を検出するセンサと、
前記複数の商品が陳列された前記棚への人物の接近の有無を示す接近情報を取得する接近情報取得部と、
前記棚に陳列されている前記複数の商品のうち欠品している商品の位置および欠品を欠品情報として検出する検出部と、
前記接近情報および前記欠品情報に基づいて、前記人物の行動分析を行う分析部と、
を備える行動分析システム。
【請求項７】
行動分析装置と出力装置とを備え、
前記行動分析装置は、
複数の商品が陳列された棚への人物の接近の有無を示す接近情報を取得する接近情報取得部と、
前記接近情報に基づいて、前記人物の行動分析を行う分析部と、
前記棚に陳列されている前記複数の商品のうち欠品している商品の位置および欠品を欠品情報として検出する検出部と、
を備え、
前記出力装置は、
前記行動分析装置から取得した前記欠品情報と前記行動分析装置の分析結果とに基づいて出力情報を生成する出力生成部を備える
行動分析システム。
【請求項８】
複数の商品が陳列された棚への人物の接近の有無を示す接近情報を取得する接近情報取得ステップと、
前記棚に陳列されている前記複数の商品のうち欠品している商品の位置および欠品を欠品情報として検出する欠品検出ステップと、
前記接近情報および前記欠品情報に基づいて、前記人物の行動分析を行う分析ステップと、
を含む行動分析方法。
【請求項９】
コンピュータに、
複数の商品が陳列された棚への人物の接近の有無を示す接近情報を取得する接近情報取得ステップと、
前記棚に陳列されている前記複数の商品のうち欠品している商品の位置および欠品を欠品情報として検出する欠品検出ステップと、
前記接近情報および前記欠品情報に基づいて、前記人物の行動分析を行う分析ステップと、
を実行させるためのプログラム。
【発明の詳細な説明】
【技術分野】
【０００１】
本発明は、行動分析装置、行動分析システム、行動分析方法及びプログラムに関する。
【背景技術】
【０００２】
顧客の購買特性を把握する等の目的で店舗における顧客の行動分析を行う場合がある。例えば、特許文献１には、商品に対する顧客の接触の有無、接触した商品を購入したか否か等の情報を取得することが記載されている。
【先行技術文献】
【特許文献】
【０００３】
【特許文献１】特開２０１１−２５３３４４号公報
【発明の概要】
【発明が解決しようとする課題】
【０００４】
商品が欠品した場合、欠品が顧客の行動に影響を与える可能性がある。従って、行動分析の精度を高めるために、商品の欠品状況を行動分析に反映させることが好ましい。
これに対し、特許文献１には、商品の陳列位置や特売札の有無等の情報を行動分析に用いることが記載されているものの、商品の欠品状況を行動分析に反映させることは示されていない。【０００５】
本発明は、上述の課題を解決することのできる行動分析装置、行動分析システム、行動分析方法及びプログラムを提供することを目的としている。
【課題を解決するための手段】
【０００６】
本発明の第１の態様によれば、行動分析装置は、複数の商品が陳列された棚への人物の接近の有無を示す接近情報を取得する接近情報取得部と、前記棚に陳列されている前記複数の商品のうち欠品している商品の位置および欠品を欠品情報として検出する検出部と、前記接近情報および前記欠品情報に基づいて、前記人物の行動分析を行う分析部と、を備える。【０００７】
本発明の第２の態様によれば、行動分析システムは、複数の商品が陳列された棚への人物の接近を検出するセンサと、前記複数の商品が陳列された前記棚への人物の接近の有無を示す接近情報を取得する接近情報取得部と、前記棚に陳列されている前記複数の商品のうち欠品している商品の位置および欠品を欠品情報として検出する検出部と、前記接近情報および前記欠品情報に基づいて、前記人物の行動分析を行う分析部と、を備える。【０００８】
本発明の第３の態様によれば、行動分析システムは、行動分析装置と出力装置とを備え、前記行動分析装置は、複数の商品が陳列された棚への人物の接近の有無を示す接近情報を取得する接近情報取得部と、前記接近情報に基づいて、前記人物の行動分析を行う分析部と、前記棚に陳列されている前記複数の商品のうち欠品している商品の位置および欠品を欠品情報として検出する検出部と、を備え、前記出力装置は、前記行動分析装置から取得した前記欠品情報と前記行動分析装置の分析結果とに基づいて出力情報を生成する出力生成部を備える。【０００９】
本発明の第４の態様によれば、行動分析方法は、複数の商品が陳列された棚への人物の接近の有無を示す接近情報を取得する接近情報取得ステップと、前記棚に陳列されている前記複数の商品のうち欠品している商品の位置および欠品を欠品情報として検出する欠品検出ステップと、前記接近情報および前記欠品情報に基づいて、前記人物の行動分析を行う分析ステップと、を含む。【００１０】
本発明の第５の態様によれば、プログラムは、コンピュータに、複数の商品が陳列された棚への人物の接近の有無を示す接近情報を取得する接近情報取得ステップと、前記棚に陳列されている前記複数の商品のうち欠品している商品の位置および欠品を欠品情報として検出する欠品検出ステップと、前記接近情報および前記欠品情報に基づいて、前記人物の行動分析を行う分析ステップと、を実行させるためのプログラムである。
【発明の効果】
【００１１】
この発明によれば、商品の欠品状況を行動分析に反映させることができる。
【図面の簡単な説明】
【００１２】
【図１】本発明の一実施形態に係る行動分析システムの機能構成を示す概略ブロック図である。
【図２】同実施形態で、棚を横から見た場合の棚前行動計測用センサ及び棚状況撮影装置の配置例を示す説明図である。
【図３】同実施形態で、棚を前から見た場合の棚前行動計測用センサの配置例を示す説明図である。
【図４】同実施形態に係る表示部による顧客行動指標値の表示例を示す説明図である。
【図５】同実施形態に係る記憶部が記憶する対応付け後情報のデータ構造の例を示す説明図である。
【図６】同実施形態に係る記憶部が記憶する欠品期間情報のデータ構造の例を示す説明図である。
【図７】同実施形態に係る行動分析装置が対応付け後情報を生成する処理手順の例を示すフローチャートである。
【図８】同実施形態に係る行動分析装置が欠品期間情報を生成する処理手順の例を示すフローチャートである。
【図９】同実施形態に係る行動分析装置が接近情報を分類して顧客行動指標値を算出する処理手順の例を示すフローチャートである。
【図１０】同実施形態に係る行動分析システムが、人物の行動分析を行った後に欠品情報を加味した処理を行う場合の機能構成の例を示す概略ブロック図である。
【図１１】本発明に係る行動分析装置の最小構成を示す説明図である。
【図１２】本発明に係る行動分析システムの最小構成を示す説明図である。
【発明を実施するための形態】
【００１３】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態に係る行動分析システムの機能構成を示す概略ブロック図である。同図に示すように、行動分析システム１は、棚前行動計測用センサ１１０と、棚状況撮影装置１２０と、行動分析装置２００とを備える。行動分析装置２００は、通信部２１０と、表示部２２０と、操作入力部２３０と、記憶部２８０と、制御部２９０とを備える。制御部２９０は、接近情報取得部２９１と、対応付け部２９２と、検出部２９３と、補正部２９４と、分類部２９５と、分析部２９６とを備える。
【００１４】
行動分析システム１は、棚前における人物の行動を分析する。具体的には、行動分析システム１は、棚前における人物の行動を示す指標値を取得する。行動分析システム１のユーザは、この指標値を参照して人物の棚前行動を把握することができる。ここでいう棚前は、商品陳列棚の前（特に、前面付近）であり、ここでいう棚前行動は、人物が商品陳列棚の前で行う行動である。以下では商品陳列棚を単に棚と称する。行動分析システム１のユーザを単にユーザと称する。
以下では、行動分析システム１が分析対象とする人物を顧客とも称する。すなわち、行動分析システムは、店舗を訪れた顧客の行動分析を行う。
【００１５】
棚前行動計測用センサ１１０は、棚前行動を検出するために設けられたセンサである。棚前行動計測用センサ１１０として、例えば棚の前面の上方から下方に向けて設けられた距離センサを用いることができる。顧客が棚に手を伸ばした場合に、棚前行動計測用センサ１１０が棚前における顧客の手の水平方向の位置及び垂直方向の位置を検出する。行動分析装置２００は、棚前行動計測用センサ１１０により検出された位置に基づいて、顧客が手を伸ばした商品を推定することができる。
【００１６】
棚状況撮影装置１２０は、棚の前方に設けられて動画像又は静止画像を撮影するカメラを備え、連続的に或いは所定時間間隔毎に、棚前の様子及び棚の様子を撮影する。
棚状況撮影装置１２０が撮影する画像により、行動分析装置２００は、顧客が棚前に立ち寄ってから棚前を立ち去るまでのタイミングを検出することができる。これにより、行動分析装置２００は、顧客が棚前に立ち寄ってから立ち去るまでの期間に行われた棚への手伸ばしを、同一顧客による一連の手伸ばしとして検出することができる。
また、行動分析装置２００は、顧客が棚へ手を伸ばした前後の画像を比較することで、顧客が商品を手に取ったこと、及び、顧客が手に取った商品を棚に戻したことを検出することができる。
【００１７】
図２及び図３を参照して棚前行動計測用センサ１１０及び棚状況撮影装置１２０の配置の例について説明する。
図２は、棚を横から見た場合の棚前行動計測用センサ１１０及び棚状況撮影装置１２０の配置例を示す説明図である。同図の例で棚前行動計測用センサ１１０は、棚９１０の全面の上方の天井９３０から下方に向けて設置されている。棚９１０は複数段の棚であり、それぞれの段に商品９２０が置かれている。顧客が棚９１０に手を伸ばした際、棚前行動計測用センサ１１０が棚前行動計測用センサ１１０自らと手との距離を測定する。測定された距離を用いることで、行動分析装置２００は、顧客が棚９１０の何段目に手を伸ばしたかを判定することができる。
【００１８】
棚状況撮影装置１２０のカメラは、棚９１０の前方の天井９３０から棚９１０を撮影する位置及び向きに設置されている。例えば、棚状況撮影装置１２０が１台のカメラを備え、当該カメラを棚９１０の前面全体を撮影できる位置及び向きに設置する。あるいは、１台のカメラで棚９１０の前面全体を撮影できない場合は、棚状況撮影装置１２０が複数台のカメラを備えるようにしてもよい。
【００１９】
図３は、棚を前から見た場合の棚前行動計測用センサ１１０の配置例を示す説明図である。同図の例で棚前行動計測用センサ１１０は、棚９１０の幅方向に沿って天井９３０に複数配置されている。顧客が棚９１０に手を伸ばした際、行動分析装置２００は、手を検出した棚前行動計測用センサ１１０を特定することで棚９１０の水平方向における手の位置を判定することができる。
【００２０】
但し、棚前行動計測用センサ１１０は、顧客が棚９１０に手を伸ばした際に棚９１０の鉛直方向における手の位置、及び、棚９１０の水平方向における手の位置を検出可能であればよい。例えば、棚前行動計測用センサ１１０として１セットの３次元カメラが棚９１０の前面の上方に設置されて棚の前面を鉛直方向に撮像するようにしてもよい。
棚前行動計測用センサ１１０の設置位置は、棚９１０の上方に限らない。例えば、棚前行動計測用センサ１１０が棚９１０の側方に設置されて棚９１０の前面を横向きにセンシングするようにしてもよい。
【００２１】
行動分析装置２００は、棚前行動計測用センサ１１０からのセンシングデータに基づいて棚前行動を分析する。
具体的には、図２及び図３を参照して説明したように、顧客が棚９１０に手を伸ばした際、行動分析装置２００は、棚前行動計測用センサ１１０からのセンシングデータに基づいて、棚９１０の鉛直方向における手の位置、及び、棚９１０の水平方向における手の位置を検出する。また、行動分析装置２００は、棚９１０における商品９２０の配置を予め記憶しており、顧客の手の位置基づいて顧客が手を伸ばした商品９２０を推定する。行動分析装置２００は、顧客が商品９２０に手を伸ばした回数を商品９２０毎に計数するなど、棚前行動の分析を行って分析結果を表示する。
【００２２】
行動分析装置２００は、棚状況撮影装置１２０が撮影した画像に基づいて棚９１０における商品９２０の欠品を検出する。行動分析装置２００は、検出した商品９２０の欠品状況を棚前行動の分析に反映させる。例えば、行動分析装置２００は、顧客が所定の商品９２０を手に取らなかった回数（例えば、他の商品９２０を手に取った回数）を計数する際、当該商品９２０が欠品している期間を計数対象から除外する。これにより、行動分析装置２００は、当該商品９２０に魅力がないために顧客が当該商品９２０を手に取らかなったといった誤った印象をユーザに与える可能性を低減させた分析結果を得ることができる。
行動分析装置２００は、例えばコンピュータを用いて構成される。
【００２３】
通信部２１０は、他機器との通信を行う。通信部２１０は棚前行動計測用センサ１１０からセンシングデータを受信する。また、通信部２１０は、棚状況撮影装置１２０が撮影した画像を画像データにて受信する。
表示部２２０は、例えば液晶パネル又はＬＥＤ（Light-Emitting Diode）パネル等の表示画面を有し、表示部２２０の制御に従って各種画像を表示する。表示部２２０は、商品に顧客が手を伸ばした回数の計数結果などの顧客行動指標値を表示する。ここでいう顧客行動指標値は、顧客の行動に関して分析部２９６が算出した指標値である。
例えば、表示部２２０は、顧客行動指標値を棚９１０の画像に重ねて表示する。
【００２４】
図４は、表示部２２０による顧客行動指標値の表示例を示す説明図である。同図の例で、表示部２２０は、商品９２０が並べられた棚９１０の像を領域Ａ１１に表示している。表示部２２０は、商品の像に顧客が当該商品に手を伸ばした回数に応じた色を付して表示している。表示部２２０は、顧客が商品に手を伸ばした回数と色との対応付けを示す凡例を領域Ａ１２に表示している。これにより、表示部２２０は、顧客が商品に手を伸ばした回数をヒートマップ風に示している。ここでいうヒートマップとは、行列の各要素の値を色で示す表示方法である。
図４の例では、領域Ａ２１に示されている商品が一時的に欠品しており、表示部２２０は、当該商品が欠品している期間中における顧客の各商品への手伸ばし回数を表示している。
【００２５】
顧客が商品に手を伸ばした回数は顧客行動指標値の例に該当する。表示部２２０は、棚９１０の画像における商品９２０の像の位置に、当該商品の像に付した色にて顧客行動指標値を表示している。
但し、表示部２２０が顧客行動指標値を表示する方法は、商品の像に色を付す方法に限らず、顧客行動指標値をユーザに提示できる方法であればよい。例えば、表示部２２０が、顧客行動指標値をグラフに表示するようにしてもよい。
【００２６】
操作入力部２３０は、例えばキーボード及びマウスなどの入力デバイスを備え、ユーザ操作を受ける。例えば操作入力部２３０は、表示部２２０が表示している商品９２０をマウスクリックするユーザ操作にて、当該商品の指定を受ける。また、操作入力部２３０は、例えば指定された商品が欠品している期間中における顧客の各商品への手伸ばし回数など、顧客行動指標値を算出する条件を指示するユーザ操作を受ける。
【００２７】
記憶部２８０は、各種情報を記憶する。記憶部２８０は、棚前行動計測用センサ１１０により得られるセンシングデータ、又は、制御部２９０が当該センシングデータを加工したデータを記憶する。例えば、記憶部２８０は、顧客が手を伸ばした商品９２０を示す商品識別情報と、棚前行動計測用センサ１１０が当該顧客の手を検出した時刻とを対応付けた情報を記憶する。以下では、商品識別情報とセンシング時刻を示す時刻情報とを対応付けた情報を対応付け後情報と称する。対応付け後情報は、対応付け部２９２が生成して記憶部２８０に記憶させる。
【００２８】
記憶部２８０は、対応付け後情報にて、顧客が手を伸ばした商品９２０を示す商品識別情報と、棚前行動計測用センサ１１０が当該顧客の手を検出した時刻とを対応付けた情報を、顧客が棚前に立ち寄ってから棚前を立ち去るまでの期間について同一顧客による一連の手伸ばしの情報として記憶する。
ここでいう商品識別情報は、棚９１０に置かれた商品９２０を商品毎に識別する情報である。なお、本実施形態では、同一の仕様の商品（例えば、同一の名前の商品）を同一の商品とみなす。商品識別情報として商品名など予め定められた情報を用いるようにしてもよいし、行動分析システム１専用の識別情報を定めておくようにしてもよい。
【００２９】
図５は、記憶部２８０が記憶する対応付け後情報のデータ構造の例を示す説明図である。同図に示すように、記憶部２８０は、グループ番号と、センシング時刻と、商品識別情報とを対応付けて記憶する。
なお、グループ番号と、センシング時刻と、商品識別情報とを対応付けた情報の１組分と全体とを区別する場合、これらを対応付けた情報の１組分を、対応付け後情報の１行分と称する。一方、これらを対応付けた情報の全体を、対応付け後情報全体と称する。
【００３０】
図５の例で、商品識別情報は、棚前行動計測用センサ１１０によるセンシングデータに基づいて特定された、顧客が手を伸ばした商品９２０を示す。
センシング時刻は、棚前行動計測用センサ１１０が当該センシングデータに示される物体の検出を行った時刻を示す。例えば、センシング時刻として通信部２１０がセンシングデータを受信した時刻を用いるようにしてもよい。
【００３１】
グループ番号は、顧客が棚前に立ち寄ってから棚前を立ち去るまでに検出された一連の手伸ばしを１つのグループに纏めるための情報として用いられる。行動分析装置２００は、棚状況撮影装置の撮影画像に基づいて、顧客が棚前に立ち寄ってから棚前を立ち去るまでのタイミングを検出し、この期間に棚前行動計測用センサ１１０が送信したセンシングデータに基づく情報（センシング時刻と商品識別情報との組み合わせ）に同一のグループ番号を付す。これにより、同一の顧客が棚９１０に複数回手を伸ばしたことを検出することができる。
【００３２】
但し、記憶部２８０が記憶する情報は、図５の例に示すセンシング時刻と商品識別情報とを対応付けた情報に限らない。例えば、記憶部２８０が、棚前行動計測用センサ１１０によるセンシングデータとセンシング時刻を示す時刻情報とを対応付けて記憶するようにしてもよい。あるいは、記憶部２８０が、棚前行動計測用センサ１１０によるセンシングデータを棚９１０における垂直方向の位置及び水平方向の位置に変換した情報を座標値の形式で記憶するようにしてもよい。
【００３３】
記憶部２８０は、商品９２０のいずれかが欠品した場合の欠品開始時刻及び欠品終了時刻を示す欠品期間情報を記憶する。
図６は、記憶部２８０が記憶する欠品期間情報のデータ構造の例を示す説明図である。同図に示すように、記憶部２８０は、商品識別情報と、欠品開始時刻と、欠品終了時刻とを対応付けて記憶する。
【００３４】
欠品期間情報における商品識別情報は、欠品した商品を示す。
欠品開始時刻は、商品識別情報が示す商品が欠品となった時刻を示す。例えば、顧客が同一商品の最後の１個を手に取った後、棚前から立ち去った時刻を欠品開始時刻とすることができる。
欠品終了時刻は、商品識別情報が示す商品の欠品が終了した時刻を示す。例えば、店員が該当商品を棚９１０に補充した時刻を欠品終了時刻とすることができる。
【００３５】
欠品期間情報は、検出部２９３によって生成される。具体的には、検出部２９３は、欠品を検出した際に商品識別情報と欠品開始時刻とを欠品期間情報に書き込む。検出部２９３は、欠品の終了を検出した際に、欠品終了時刻を欠品期間情報の該当欄に書き込む。
なお、商品識別情報と、欠品開始時刻と、欠品終了時刻とを対応付けた情報の１組分と全体とを区別する場合、これらを対応付けた情報の１組分を、欠品期間情報の１行分と称する。一方、これらを対応付けた情報の全体を、欠品期間情報全体と称する。
【００３６】
記憶部２８０は、棚状況撮影装置１２０が撮影した画像を、撮影時刻と対応付けて時系列に記憶する。
記憶部２８０は、行動分析装置２００が備える記憶デバイスを用いて実現される。行動分析装置２００が備える記憶デバイスは、行動分析装置２００が内蔵する記憶デバイスであってもよいし、行動分析装置２００に外付けされた記憶デバイスであってもよい。
【００３７】
制御部２９０は、行動分析装置２００の各部を制御して各種機能を実行する。制御部２９０は、例えば行動分析装置２００が備えるＣＰＵ（Central Processing Unit、中央処理装置）が、記憶部２８０からプログラムを読み出して実行することで実現される。
接近情報取得部２９１は、接近情報を取得する。ここでいう接近情報は、棚９１０への人物の接近の有無及び接近があった場合の棚９１０における位置を時刻毎に示す情報である。
【００３８】
具体的には、棚前行動計測用センサ１１０が物体（特に、顧客の手）を検出すると、接近情報取得部２９１は、センシングデータを棚９１０の前面における座標値に変換する。
例えば、棚９１０の水平方向について、棚前行動計測用センサ１１０毎に、当該棚前行動計測用センサ１１０が物体を検出する位置を示す情報を、記憶部２８０が予め記憶しておく。接近情報取得部２９１は、物体を検出した棚前行動計測用センサ１１０に応じて、当該棚前行動計測用センサ１１０が物体を検出する位置の情報を記憶部２８０から読み出す。
【００３９】
また、接近情報取得部２９１は、棚前行動計測用センサ１１０が検出した物体と棚前行動計測用センサ１１０自らとの距離をセンシングデータから読み取る。接近情報取得部２９１は読み取った距離を棚９１０の鉛直方向の位置に換算する。
接近情報取得部２９１は、センシング時刻を示す時刻情報としてセンシングデータの受信時刻情報を当該座標値と対応付けることで、接近情報を生成する。この接近情報の存在は、棚前行動計測用センサ１１０が物体を検出したことを示す。
【００４０】
棚前行動計測用センサ１１０が物体を検出した場合、を顧客の体の少なくとも一部（特に顧客の手）が棚９１０に接近したものとみなす。この点で、接近情報は、当該情報の有無にて棚９１０への顧客の体の少なくとも一部の接近の有無を示す。接近情報は、顧客の体の少なくとも一部の接近の有無及び接近があった場合の棚９１０における位置を座標値にて示す。座標が示す位置は、顧客の体の少なくとも一部が接近した棚９１０における位置である。
【００４１】
対応付け部２９２は、接近情報取得部２９１が生成した接近情報を、当該接近情報が示す位置に応じていずれかの商品９２０と対応付ける。例えば、記憶部２８０が、接近情報取得部２９１がセンシングデータから検出する位置情報を、商品９２０のいずれかに対応付ける情報を予め記憶しておく。さらに、記憶部２８０は、棚９１０に置かれた商品９２０毎に、当該商品９２０の棚９１０における位置を棚９１０の水平方向及び鉛直方向の二次元座標値にて予め記憶しておく。対応付け部２９２は、接近情報取得部２９１が生成した接近情報が示す座標値に対応付けられている商品９２０を記憶部２８０から読み出すことで、接近情報を商品９２０に対応付ける。
【００４２】
対応付け部２９２は、対応付けた商品９２０を識別する商品識別情報とセンシング時刻を示す時刻情報とを対応付けた情報を生成して記憶部２８０に記憶させる。上記のように、対応付け部２９２が生成する、商品識別情報とセンシング時刻を示す時刻情報とを対応付けた情報を対応付け後情報と称する。対応付け後情報は、接近情報に対応付けられた商品を示す情報の例に該当する。
【００４３】
検出部２９３は、棚９１０に陳列されている商品の位置および欠品を欠品情報として検出する。具体的には、検出部２９３は、顧客が棚前に立ち寄る前に棚状況撮影装置１２０が撮影した画像と、顧客が棚前から立ち去った後に棚状況撮影装置１２０が撮影した画像との差分画像を算出する。差分画像にて、商品が無くなった領域が新たに生じたことを検出した場合、検出部２９３は、欠品と判定する。
【００４４】
欠品と判定した場合、検出部２９３は、棚９１０の画像における欠品を検出した位置を、棚９１０の位置に換算する。そして、検出部２９３は、記憶部２８０が予め記憶している棚９１０における商品９２０の配置情報を参照して、該当位置に置かれていた商品を特定する。
あるいは、検出部２９３が、欠品前の画像を解析することで、欠品した商品を特定するようにしてもよい。例えば、検出部２９３は、欠品を検出した領域に映っている商品の像を、記憶部２８０が記憶している各商品の像とパタンマッチングすることで、欠品した商品を特定する。
すなわち、検出部２９３は、棚９１０において欠品している商品９２０の有無を判定し、欠品している商品９２０を特定し、商品９２０の欠品と欠品している商品９２０の位置とを示す欠品情報を生成する。
【００４５】
補正部２９４は、接近位置に対応する商品が欠品していると判断される場合に、接近位置に隣接した位置に人物の手が接近したものと補正する。
具体的には、補正部２９４は、棚９１０に人物が接近した位置を接近情報から読み出す。補正部２９４は、検出部２９３が欠品と判定した商品の位置情報を取得する。例えば、検出部２９３が、欠品を検出した商品の棚９１０の画像中における位置を検出し、検出した位置を棚９１０における位置に換算して補正部２９４に通知するようにしてもよい。あるいは、記憶部２８０が、棚９１０における各商品９２０の配置を予め記憶しておき、検出部２９３が欠品と判定した商品の位置を、補正部２９４が記憶部２８０から読み出すようにしてもよい。
【００４６】
補正部２９４は、棚９１０に人物が接近した位置と、棚９１０における欠品の位置とが一致するか否かを判定する。両者が一致すると判定した場合、補正部２９４は、棚９１０に人物が接近した位置を補正する。
顧客は一般的には商品９２０を手に取るため、あるいは、商品９２０に触れるために棚９１０に手を伸ばすと考えられる。そうすると、顧客は通常、商品が欠品している位置には手を伸ばさないと考えられる。これに反して、商品が欠品している位置への手伸ばしを接近情報取得部２９１が検出した場合、その原因として、棚前行動計測用センサ１１０の測定精度により、顧客が欠品している商品の隣の商品に手を伸ばしたのを欠品している商品の位置への手伸ばしとして検出したことが考えられる。そこで、補正部２９４は、欠品している商品の位置への手伸ばしを、欠品している商品の隣の商品の位置への手伸ばしに補正する。これにより、行動分析装置２００は、顧客が手を伸ばした商品９２０をより高精度に検出できる。
【００４７】
分類部２９５は、検出部２９３が検出した欠品の状況毎に接近情報を分類する。具体的には、検出部２９３がいずれかの商品９２０の欠品を検出した場合、分類部２９５は、接近情報をその時刻（センシング時刻）に応じて、当該商品９２０欠品中と、当該商品９２０ありのとき（欠品前、及び、補充後）とに分類する。
【００４８】
分析部２９６は、接近情報および欠品情報に基づいて、人物の行動分析を行う。具体的には、分析部２９６は、分類部２９５が分類した接近情報を用いて顧客の行動に関する指標値を算出する。
さらに、分析部２９６は、少なくとも特定の商品が欠品していないことを検出部２９３が検出したときの接近情報に基づいて、当該商品に対する顧客の行動に関する指標値を算出する。これにより、分析部２９６は、該当商品が欠品している場合に、顧客がその商品を手に取らなかったという情報をノイズとして無視する。行動分析システム１が、この指標値をユーザに提示することで、該当商品に魅力がなかったというふうにユーザが誤認識する可能性を低減させることができる。
【００４９】
分析部２９６は、少なくともいずれかの商品が欠品していることを検出部２９３が検出したときの接近情報に基づいて、顧客の行動に関する指標値を算出する。
行動分析システム１が、この指標値をユーザに提示することで、ユーザは、他の商品が欠品しているから顧客が仕方なくその商品を手に取ったといった状況を推測することができる。
また、行動分析システム１が、この指標値をユーザに提示することで、ユーザは、人気商品が無くなった場合の顧客の棚前行動の情報を得ることができる。例えば、ユーザは、顧客が棚前で立ち止まらずに帰ってしまうといった行動を把握することができる。
【００５０】
図７〜図９を参照して、行動分析システム１の動作について説明する。
図７は、行動分析装置２００が対応付け後情報を生成する処理手順の例を示すフローチャートである。行動分析装置２００は、行動分析装置２００自らの電源を接続（ＯＮ）されて動作状態になると、同図の処理を開始する。
図７の処理で、接近情報取得部２９１は、棚前への顧客の立ち寄りを検出したか否かを判定する（ステップＳ１０１）。具体的には、接近情報取得部２９１は、棚状況撮影装置１２０が撮影した画像に、棚前に今までいなかった顧客がいることを検出した場合に、棚前への顧客の立ち寄りを検出したと判定する。棚状況撮影装置１２０が撮影した画像に複数の顧客が映っている場合、接近情報取得部２９１が複数の顧客のそれぞれについて当該顧客の立ち寄りを検出したか否かを判定するようにしてもよい。
【００５１】
棚前への顧客の立ち寄りを検出していないと判定した場合（ステップＳ１０１：ＮＯ）、接近情報取得部２９１はステップＳ１０１へ戻る。すなわち、行動分析装置２００は、棚前への顧客の立ち寄りを待ち受ける。
ステップＳ１０１で棚前への顧客の立ち寄りを検出したと判定した場合（ステップＳ１０１：ＹＥＳ）、接近情報取得部２９１は、当該顧客の立ち寄りに対するグループ番号を決定する（ステップＳ１０２）。例えば、グループ番号の初期値を０としておき、棚前への顧客の立ち寄りを検出する毎に、接近情報取得部２９１がグループ番号に１を加算するようにしてもよい。
【００５２】
接近情報取得部２９１は、棚前からの顧客の立ち去りを検出したか否かを判定する（ステップＳ１０３）。具体的には、接近情報取得部２９１は、棚状況撮影装置１２０が撮影した画像で、棚前に今までいた顧客がいなくなっていることを検出した場合に、棚前からの顧客の立ち去りを検出したと判定する。棚状況撮影装置１２０が撮影した画像に複数の顧客が映っていた場合、接近情報取得部２９１が複数の顧客のそれぞれについて当該顧客の立ち去りを検出したか否かを判定するようにしてもよい。
棚前からの顧客の立ち寄りを検出したと判定した場合（ステップＳ１０３：ＹＥＳ）、接近情報取得部２９１はステップＳ１０１へ戻る。
【００５３】
ステップＳ１０３で棚前からの顧客の立ち寄りを検出していないと判定した場合（ステップＳ１０３：ＮＯ）、接近情報取得部２９１は、棚前行動計測用センサ１１０からのセンシングデータを取得したか否かを判定する（ステップＳ１０４）。具体的には、接近情報取得部２９１は、通信部２１０がセンシングデータを受信したか否かを判定する。
【００５４】
センシングデータを取得していないと判定した場合（ステップＳ１０４：ＮＯ）、接近情報取得部２９１はステップＳ１０４へ戻る。すなわち、行動分析装置２００は、棚前行動計測用センサ１１０からのセンシングデータを待ち受ける。
ステップＳ１０４でセンシングデータを取得したと判定した場合（ステップＳ１０４：ＹＥＳ）、接近情報取得部２９１は、接近情報を生成する（ステップＳ１０５）。具体的には、接近情報取得部２９１は、通信部２１０が受信したセンシングデータを棚９１０の前面における二次元座標値に換算し、得られた二次元座標値に基づいて接近情報を生成する。
【００５５】
対応付け部２９２は、ステップＳ１０５で得られた二次元座標値に基づいて対応付け後情報を生成する（ステップＳ１０６）。具体的には、対応付け部２９２は、ステップＳ１０２で決定したグループ番号と、センシング時刻と、二次元座標値から得られた商品識別情報とを結合した情報を、図６のデータ構造の例のように１行分の対応付け後情報として生成する。
対応付け部２９２は、ステップＳ１０６で得られた対応付け後情報（１行分の情報）を記憶部２８０に記憶させる（ステップＳ１０７）。
対応付け部２９２は、ステップＳ１０７の後、ステップＳ１０３へ戻る。
【００５６】
図８は、行動分析装置２００が欠品期間情報を生成する処理手順の例を示すフローチャートである。行動分析装置２００は、行動分析装置２００自らの電源を接続（ＯＮ）されて動作状態になると、同図の処理を開始する。
図８の処理で、検出部２９３は、棚前からの顧客の立ち去りを検出したか否かを判定する（ステップＳ２０１）。具体的には、検出部２９３は、棚状況撮影装置１２０が直近に撮影した画像と、棚状況撮影装置１２０が所定時間前（例えば３０秒前）に撮影した画像とを比較する。所定時間前に映っていた顧客が直近の画像に映っていないことを検出した場合、検出部２９３は、棚前からの顧客の立ち去りを検出したと判定する。
【００５７】
棚前からの顧客の立ち去りを検出していないと判定した場合（ステップＳ２０１：ＮＯ）、検出部２９３はステップＳ２０１へ戻る。
棚前からの顧客の立ち去りを検出したと判定した場合（ステップＳ２０１：ＹＥＳ）、検出部２９３は、棚前に顧客が立ち寄る前と、棚前から顧客が立ち去った後との差分画像を取得する（ステップＳ２０２）。この場合、検出部２９３は、棚前から顧客が立ち去った後の画像を、ステップＳ２０１の直近の画像にて取得している。検出部２９３は、記憶部２８０が記憶している棚状況撮影装置１２０の撮影画像を時系列に遡って（すなわち、現在から過去の順に）参照して、棚前に顧客が立ち寄る前の画像を取得する。検出部２９３は、棚前に顧客が立ち寄る前の画像と、棚前から顧客が立ち去った後の画像との差分画像を算出する。
【００５８】
検出部２９３は、ステップＳ２０２で得られた差分画像を解析して、いずれかの商品９２０の欠品開始を検出したか否か判定する（ステップＳ２０３）。具体的には、検出部２９３は、差分画像が示す差分の領域について、過去の画像で映っていた商品が直近の画像で映っていないことを検出した場合、検出部２９３は、欠品開始を検出したと判定する。
【００５９】
欠品開始を検出したと判定した場合（ステップＳ２０３：ＹＥＳ）、検出部２９３は、欠品開始と判定した商品を示す商品識別情報を取得する（ステップＳ２０４）。具体的には、検出部２９３は、上述したように欠品を検出した位置に基づいて欠品した商品を特定し、該当商品を示す商品識別情報を取得する。あるいは、検出部２９３は、上述したように、欠品を検出した商品の像に基づいてパタンマッチングにて欠品した商品を特定し、該当商品を示す商品識別情報を取得するようにしてもよい。
【００６０】
検出部２９３は、欠品開始情報を登録する（ステップＳ２０５）。ここでいう欠品開始情報は、欠品期間情報における商品識別情報と欠品開始時刻との組み合わせである。具体的には、検出部２９３は、欠品期間情報の１行分を新たに生成して、欠品開始を検出した商品の識別情報と欠品開始時刻（例えば、ステップＳ２０１で取得した、棚状況撮影装置１２０の直近の画像の撮影時刻）とを書き込む。ステップＳ２０５では、検出部２９３は、新たに生成した欠品期間情報の１行分における欠品終了時刻を空欄としておく。
【００６１】
検出部２９３は、ステップＳ２０２で得られた差分画像を解析して、いずれかの商品９２０の欠品終了を検出したか否か判定する（ステップＳ２０６）。具体的には、検出部２９３は、差分画像が示す差分の領域について、過去の画像で映っていなかった商品が直近の画像で映っていることを検出した場合、検出部２９３は、欠品終了を検出したと判定する。
【００６２】
欠品終了を検出したと判定した場合（ステップＳ２０６：ＹＥＳ）、検出部２９３は、欠品終了と判定した商品を示す商品識別情報を取得する（ステップＳ２０７）。具体的には、検出部２９３は、欠品終了を検出した位置に基づいて欠品終了の商品を特定し、該当商品を示す商品識別情報を取得する。あるいは、検出部２９３が、欠品終了を検出した商品の像に基づいてパタンマッチングにて欠品終了の商品を特定し、該当商品を示す商品識別情報を取得するようにしてもよい。
【００６３】
検出部２９３は、欠品終了情報を登録する（ステップＳ２０８）。ここでいう欠品終了情報は、欠品期間情報における欠品終了時刻である。具体的には、検出部２９３は、欠品期間情報で、商品識別情報がステップＳ２０７で取得された商品識別情報に該当し、欠品終了時刻が空欄になっている行を検出する。検出部２９３は、検出した行の欠品終了時刻の欄に、欠品終了時刻（例えば、ステップＳ２０１で取得した、棚状況撮影装置１２０の直近の画像の撮影時刻）を書き込む。
【００６４】
検出部２９３は、ステップＳ２０８の後、ステップＳ２０１へ戻る。
検出部２９３は、ステップＳ２０３で欠品開始を検出していないと判定した場合（ステップＳ２０３：ＮＯ）、ステップＳ２０５へ進む。
検出部２９３は、ステップＳ２０６で欠品終了を検出していないと判定した場合（ステップＳ２０６：ＮＯ）、ステップＳ２０１へ戻る。
【００６５】
但し、検出部２９３が欠品を検出する方法は、図８を参照して説明した方法に限らない。例えば、行動分析システム１が、棚９１０の前方から棚９１０に向かって距離を測定する距離センサが棚９１０の前面全体にわたって配置された距離センサアレイを備えるようにしてもよい。距離センサアレイに含まれる距離センサのいずれかが、棚９１０の奥まで物がないことを検出した場合、検出部２９３は、該当位置に置かれていた商品９２０が欠品したと判定する。
あるいは、陳列数分の商品９２０が購入されたことをＰＯＳ（Point Of Sale）にて計数した場合、検出部２９３が、当該商品９２０が欠品したと判定するようにしてもよい。
【００６６】
図９は、行動分析装置２００が接近情報を分類して顧客行動指標値を算出する処理手順の例を示すフローチャートである。行動分析装置２００は、顧客行動指標値を算出するよう指示するユーザ操作を受けると、同図の処理を行う。
図９の処理にて、分類部２９５は、接近情報を分類する分類条件を示す情報を取得する（ステップＳ３０１）。例えば、分類部２９５は、顧客行動指標値を算出するよう指示するユーザ操作に含まれる分類条件を読み出す。
【００６７】
分類部２９５は、顧客行動指標値算出の対象とする期間を示す期間情報を取得する（ステップＳ３０２）。例えば、分類部２９５は、顧客行動指標値を算出するよう指示するユーザ操作に含まれる期間情報を読み出す。期間の指示が無い場合、分類部２９５が、記憶部２８０が記憶している全ての接近情報を対象とするようにしてもよい。
制御部２９０は、ステップＳ３０２で得られた期間に該当する接近情報の各々に対して処理を行うループＬ１１を開始する（ステップＳ３０３）。以下では、ループＬ１１で処理対象となっている接近情報を対象接近情報と称する。
【００６８】
ループＬ１１の処理で、分類部２９５は、対象接近情報がステップＳ３０１で得られた分類条件に該当するか否かを判定する（ステップＳ３０４）。例えば、ある商品が欠品となっている期間を除外することが分類条件となっている場合、分類部２９５は、記憶部２８０が記憶している欠品期間情報から該当期間を読み出す。この場合、読み出した期間に該当しないことが条件なので、分類部２９５は、接近情報が示す時刻が欠品の期間外であると判定した場合に、ステップＳ３０４での条件（ステップＳ３０１で得られた分類条件）に該当すると判断する。
【００６９】
分類部２９５が分類条件に該当すると判定した場合（ステップＳ３０４：ＹＥＳ）、分析部２９６が、対象接近情報の集計を行う（ステップＳ３０５）。顧客の手伸ばし回数を商品毎に計数するよう指示されている場合、分析部２９６は、対象接近情報が示す商品への手伸ばし回数を１回加算する。
制御部２９０は、ループＬ１１の終端処理を行う（ステップＳ３０６）。具体的には、制御部２９０は、ループＬ１１で処理対象となる接近情報の全てに対して処理を完了したか否かを判定する。未処理の接近情報が残っていると判定した場合、制御部２９０は、ステップＳ３０３に戻り、未処理の接近情報に対して引き続きループＬ１１の処理を行う。制御部２９０は、ループＬ１１で処理対象となる接近情報の全てに対して処理を完了したと判定した場合、ループＬ１１を終了する。
【００７０】
制御部２９０がステップＳ３０６でループＬ１１を終了した場合、分析部２９６は、接近情報の集計結果を表示部２２０に表示させる（ステップＳ３０７）。制御部２９０は、ステップＳ３０７の後、図９の処理を終了する。
ステップＳ３０４で、分類部２９５が分類条件に該当しないと判定した場合（ステップＳ３０４：ＮＯ）、制御部２９０はステップＳ３０６へ進む。
【００７１】
以上のように、接近情報取得部２９１は、商品９２０が陳列された棚９１０への人物の接近の有無を示す接近情報を取得する。検出部２９３は、棚９１０に陳列されている商品の位置及び欠品を欠品情報として検出する。分析部２９６は、接近情報および欠品情報に基づいて、人物の行動分析を行う。
これにより、行動分析システム１では、商品の欠品状況を棚前における顧客の行動分析に反映させることができる。行動分析システム１によれば、この点で、より高精度な行動分析を行うことができる。
【００７２】
接近情報は、棚における人物の手が接近した位置を示す接近位置の情報を含む。分析部２９６は、接近位置に対応する商品の欠品情報に基づいて、人物の行動分析を行う。
これにより、行動分析システム１は、人物が手を伸ばした商品と欠品との関係を分析することができ、この点で、より詳細な分析を行うことができる。
【００７３】
補正部２９４は、接近位置に対応する商品が欠品していると判断される場合に、接近位置に隣接した位置に人物の手が接近したものと補正する。分析部２９６は、補正部２９４による補正に基づいて人物の行動分析を行う。
このように、補正部２９４が人物の位置（特に、手の位置）を補正することで、行動分析システム１では、より高精度な行動分析を行うことができる。
【００７４】
分析部２９６は、接近位置に対応する商品が欠品していると判断される場合に、接近情報を無視する。
これにより、行動分析システム１では、分析対象商品が欠品しているときのデータをノイズとして除去することができる。行動分析システム１によればこの点で、より高精度な行動分析を行うことができる。
【００７５】
分析部２９６は、少なくともいずれかの商品が欠品していることを検出部２９３が検出したときの接近情報に基づいて、人物の行動分析を行う。
これにより、行動分析システム１では、商品が欠品しているときの顧客の行動を分析することができる。例えば、ユーザは行動分析システム１を用いることで、ある商品が欠品しているときの代替品や、人気商品が欠品している場合に顧客がその棚に近づくか否かを把握することができる。
【００７６】
行動分析システムが、人物の行動分析を行った後に欠品情報を加味した処理を行うようにしてもよい。
図１０は、人物の行動分析を行った後に欠品情報を加味した処理を行う場合の行動分析システムの機能構成の例を示す概略ブロック図である。同図に示すように、行動分析システム２は、棚前行動計測用センサ１１０と、棚状況撮影装置１２０と、行動分析装置３１０と、出力装置３２０とを備える。行動分析装置３１０は、第一通信部３１１と、表示部２２０と、操作入力部２３０と、第一記憶部３１２と、第一制御部３１３とを備える。第一制御部３１３は、接近情報取得部２９１と、対応付け部２９２と、分析部３１４と、検出部３１５とを備える。
出力装置３２０は、第二通信部３２１と、第二記憶部３２２と、第二制御部３２３とを備える。第二制御部３２３は、出力生成部３２４を備える。
【００７７】
図１０の構成で、棚前行動計測用センサ１１０と、棚状況撮影装置１２０と、表示部２２０と、操作入力部２３０と、接近情報取得部２９１と、対応付け部２９２との機能は、図１の構成の場合と同様であり、図１の場合と同一の符号を付して説明を省略する。
行動分析装置３１０は、欠品の検出（検出部２９３の処理）の結果を行動分析に反映させる処理を行わない点で、図１の行動分析装置２００と異なる。図１０の構成では、出力装置３２０が欠品の検出結果を行動分析に反映させる処理を行うためである。
【００７８】
行動分析と、欠品の検出とを別々に行うことに伴って、行動分析装置３１０では、人物の手の位置の補正（補正部２９４の処理）、及び、接近情報の分類（分類部２９５の処理）も行わない。それ以外は、行動分析装置３１０は、図１の行動分析装置２００と同様である。
第一通信部３１１は、他機器と通信を行う。特に、第一通信部３１１は、棚前行動計測用センサ１１０と通信を行って、センサデータを受信する。第一通信部３１１は、棚状況撮影装置１２０と通信を行って、撮影データを受信する。第一通信部３１１は、出力装置３２０と通信を行って、行動分析装置３１０での行動分析結果を送信する。
【００７９】
第一記憶部３１２は、図１の記憶部２８０と同様、各種データを記憶する。
第一制御部３１３は、図１の制御部２９０と同様、行動分析装置３１０の各部を制御して各種処理を実行する。
分析部３１４は、接近情報に基づいて、人物の行動分析を行う。分析部３１４は、対応付け部２９２が生成した対応付け後情報を用いて、例えば、ある商品を手に取った人物が更に手に取った商品を検出するなどの分析を行う。
検出部３１５は、図１の検出部２９３と同様、棚に陳列されている商品の位置および欠品を欠品情報として検出する。
【００８０】
出力装置３２０は、行動分析装置３１０による分析結果を、商品の欠品状況に基づいて編集する。具体的には、出力装置３２０は、行動分析装置３１０による分析結果から、分析対象の商品が欠品していた期間の情報をノイズとして削除する。
第二通信部３２１は、他機器と通信を行う。特に、第二通信部３２１は、行動分析装置３１０と通信を行って、行動分析装置３１０による行動分析結果、及び、欠品の検出結果を受信する。また、第二通信部３２１は、出力装置３２０の出力（出力装置３２０が編集済みの行動分析結果）を他機器へ送信する。
【００８１】
第二記憶部３２２は、各種データを記憶する。
第二制御部３２３は、出力装置３２０の各部を制御して各種処理を実行する。
出力生成部３２４は、行動分析装置３１０による分析結果から、分析対象の商品が欠品していた期間の情報をノイズとして削除する。出力生成部３２４は、分析結果からノイズを削除して得られる出力情報を生成する。
【００８２】
このように、行動分析システム２では、棚前における人物（顧客）の行動分析結果から、分析対象の商品が欠品していた期間の情報をノイズとして削除する。行動分析システム２によれば、この点で、より高精度な行動分析を行うことができる。
【００８３】
次に、図１１及び図１２を参照して、本発明の最小構成について説明する。
図１１は、本発明に係る行動分析装置の最小構成を示す説明図である。同図に示す行動分析装置１０は、接近情報取得部１１と、検出部１２と、分析部１３とを備える。
かかる構成にて、接近情報取得部１１は、商品が陳列された棚への人物の接近の有無を示す接近情報を取得する。検出部１２は、棚に陳列されている商品の位置および欠品を欠品情報として検出する。分析部１３は、前記接近情報および前記欠品情報に基づいて、前記人物の行動分析を行う。
これにより、行動分析装置１０では、商品の欠品状況を棚前における顧客の行動分析に反映させることができる。行動分析装置１０によればこの点で、より高精度な行動分析を行うことができる。
【００８４】
図１２は、本発明に係る行動分析システムの最小構成を示す説明図である。同図に示す行動分析システム２０は、棚前行動計測用センサ２１と、接近情報取得部２２と、検出部２３と、分析部２４とを備える。
係る構成にて、棚前行動計測用センサ２１は、商品が陳列された棚への人物の接近を検出する。接近情報取得部２２は、商品が陳列された棚への人物の接近の有無を示す接近情報を棚前行動計測用センサのセンシングデータに基づいて取得する。検出部２３は、棚に陳列されている商品の位置および欠品を欠品情報として検出する。分析部２４は、接近情報および欠品情報に基づいて、人物の行動分析を行う。
これにより、行動分析システム２０では、商品の欠品状況を棚前における顧客の行動分析に反映させることができる。行動分析システム２０によればこの点で、より高精度な行動分析を行うことができる。
【００８５】
制御部２９０、接近情報取得部１１、検出部１２、分析部１３、接近情報取得部２２、検出部２３、及び、分析部２４の機能の全部または一部を実現するためのプログラムをコンピュータ読み取り可能な記録媒体に記録して、この記録媒体に記録されたプログラムをコンピュータシステムに読み込ませ、実行することにより各部の処理を行ってもよい。ここでいう「コンピュータシステム」とは、ＯＳや周辺機器等のハードウェアを含むものとする。
「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００８６】
以上、この発明の実施形態について図面を参照して詳述してきたが、具体的な構成はこの実施形態に限られるものではなく、この発明の要旨を逸脱しない範囲の設計等も含まれる。
【００８７】
本願は、２０１６年３月２３日に、日本に出願された特願２０１６−０５９３００号に基づき優先権を主張し、その内容をここに援用する。
【産業上の利用可能性】
【００８８】
本発明は、商品の欠品状況を行動分析に反映させることが不可欠な用途に適用できる。
【符号の説明】
【００８９】
１、２、２０  行動分析システム
１０、２００、３１０  行動分析装置
１１、２２、２９１  接近情報取得部
１２、２３、２９３、３１５  検出部
１３、２４、２９６、３１４  分析部
２１、１１０  棚前行動計測用センサ
１２０  棚状況撮影装置
２１０  通信部
２２０  表示部
２３０  操作入力部
２８０  記憶部
２９０  制御部
２９２  対応付け部
２９４  補正部
２９５  分類部
３１１  第一通信部
３１２  第一記憶部
３１３  第一制御部
３２０  出力装置
３２１  第二通信部
３２２  第二記憶部
３２３  第二制御部
３２４  出力生成部
【図１】
2017163879.tif 000003
【図２】
2017163879.tif 000004
【図３】
2017163879.tif 000005
【図４】
2017163879.tif 000006
【図５】
2017163879.tif 000007
【図６】
2017163879.tif 000008
【図７】
2017163879.tif 000009
【図８】
2017163879.tif 000010
【図９】
2017163879.tif 000011
【図１０】
2017163879.tif 000012
【図１１】
2017163879.tif 000013
【図１２】
2017163879.tif 000014
【国際調査報告】
2017163879.tif 000015
2017163879.tif 000016
2017163879.tif 000017
2017163879.tif 000018